(57)【要約】【課題】光源に異常が発生した場合でも、付加ユニットの動作を継続させること。【解決手段】実施形態に係る照明器具は、点灯装置と、付加ユニットと、電源装置とを具備する。点灯装置は、光源を点灯させる。付加ユニットは、照明とは異なる機能を付加し、着脱可能に取り付けられる。電源装置は、付加ユニットに電力を供給する。また、実施形態に係る照明器具において、点灯装置は、電力供給部と、保護部とを具備する。電力供給部は、光源と電源装置とに電力を供給する。保護部は、光源の異常時に電力供給部から光源への電力の供給を停止させる保護機能を有する。そして、電力供給部は、保護機能が働いた場合にも、電源装置を介して付加ユニットへの電力の供給を継続する。【選択図】図１Ａ
2018163789.tif 000002
【特許請求の範囲】
【請求項１】
光源を点灯させる点灯装置と；
照明とは異なる機能を付加し、着脱可能に取り付けられる付加ユニットと；
前記付加ユニットに電力を供給する電源装置と；
を具備する照明器具。
【請求項２】
前記点灯装置は、前記光源と前記電源装置とに電力を供給する電力供給部と、前記光源の異常時に前記電力供給部から前記光源への電力の供給を停止させる保護機能を有する保護部とを具備し、
前記電力供給部は、前記保護機能が働いた場合にも、前記電源装置を介して前記付加ユニットへの電力の供給を継続する請求項１に記載の照明器具。
【請求項３】
前記電源装置に接続され、前記電源装置の異常時には前記電源装置が異常であることを報知する報知装置をさらに具備する請求項１または２に記載の照明器具。
【請求項４】
前記報知装置は、インジケータである請求項３に記載の照明器具。
【請求項５】
前記点灯装置と前記電源装置とは一体に構成される請求項１〜４のいずれか一つに記載の照明器具。
【請求項６】
前記点灯装置と前記電源装置とは別体に構成される請求項１〜４のいずれか一つに記載の照明器具。
【発明の詳細な説明】
【技術分野】
【０００１】
本発明の実施形態は、照明器具に関する。
【背景技術】
【０００２】
従来、照明とは異なる機能を付加する付加ユニットを具備した照明器具が提供されている。かかる付加ユニットとしては、たとえば、照明器具が取り付けられる天井から室内を撮像する撮像ユニットなどが挙げられる。
【０００３】
ところで、かかる付加ユニットを具備した照明器具では、光源に異常が発生した場合、保護機能が働いてかかる光源への電力供給が停止されるのみならず、付加ユニットに対しても電力の供給が停止される。すなわち、光源に異常が発生した場合に、光源による照明機能と付加ユニットによる付加機能とがともに失われてしまう恐れがある。
【先行技術文献】
【特許文献】
【０００４】
【特許文献１】特開２０１４−２３５９０７号公報
【発明の概要】
【発明が解決しようとする課題】
【０００５】
本発明が解決しようとする課題は、光源に異常が発生した場合でも、付加ユニットの動作を継続させることができる照明器具を提供することである。
【課題を解決するための手段】
【０００６】
実施形態に係る照明器具は、点灯装置と、付加ユニットと、電源装置とを具備する。点灯装置は、光源を点灯させる。付加ユニットは、照明とは異なる機能を付加し、着脱可能に取り付けられる。電源装置は、前記付加ユニットに電力を供給する。
【発明の効果】
【０００７】
本発明によれば、光源に異常が発生した場合でも、付加ユニットの動作を継続させることができる。
【図面の簡単な説明】
【０００８】
【図１Ａ】図１Ａは、実施形態に係る照明器具の構成例を示す図である。
【図１Ｂ】図１Ｂは、実施形態に係る点灯装置の構成例を示す図である。
【図２】図２は、実施形態に係る照明器具における動作の一例を示す図である。
【図３】図３は、実施形態に係る照明器具における動作の別の一例を示す図である。
【図４】図４は、実施形態に係る照明器具における動作のさらに別の一例を示す図である。
【図５】図５は、実施形態に係る付加ユニットの動作の一例を示す図である。
【発明を実施するための形態】
【０００９】
以下で説明する実施形態に係る照明器具１は、点灯装置１０と、付加ユニット２０と、電源装置３０とを具備する。点灯装置１０は、光源３を点灯させる。付加ユニット２０は、照明とは異なる機能を付加し、着脱可能に取り付けられる。電源装置３０は、付加ユニット２０に電力を供給する。
【００１０】
また、以下で説明する実施形態に係る照明器具１において、点灯装置１０は、電力供給部１１と、保護部１２とを具備する。電力供給部１１は、光源３と電源装置３０とに電力を供給する。保護部１２は、光源３の異常時に電力供給部１１から光源３への電力の供給を停止させる保護機能を有する。そして、電力供給部１１は、保護機能が働いた場合にも、電源装置３０を介して付加ユニット２０への電力の供給を継続する。
【００１１】
また、以下で説明する実施形態に係る照明器具１は、報知装置４０をさらに具備する。報知装置４０は、電源装置３０に接続され、電源装置３０の異常時には電源装置３０が異常であることを報知する。
【００１２】
また、以下で説明する実施形態に係る照明器具１において、報知装置４０は、インジケータである。
【００１３】
また、以下で説明する実施形態に係る照明器具１において、点灯装置１０と電源装置３０とは一体に構成される。
【００１４】
また、以下で説明する実施形態に係る照明器具１において、点灯装置１０と電源装置３０とは別体に構成される。
【００１５】
以下、図面を参照して、実施形態に係る照明器具を説明する。実施形態において同一の部位には同一の符号を付し、重複する説明は省略される。
【００１６】
［実施形態］
最初に、図１Ａおよび図１Ｂを参照しながら、実施形態にかかる照明器具１について説明する。図１Ａは、実施形態に係る照明器具１の構成例を示す図である。図１Ａに示すように、照明器具１は、交流電源２と光源３との間に接続され、交流電源２から供給される電力を用いて光源３を点灯させる。
【００１７】
交流電源２は、たとえば、商用電源などである。光源３は、一種の負荷であり、たとえば、ＬＥＤ（Light  Emitting  Diode）素子や有機ＥＬ（Electro-Luminescence）素子などで構成される。そして、照明器具１と光源３とを具備する照明装置４が構成される。
【００１８】
図１Ａに示すように、照明器具１は、点灯装置１０と、付加ユニット２０と、電源装置３０と、報知装置４０とを具備する。点灯装置１０は、交流電源２から供給される電力を所定の電力に変換して、変換された電力を光源３に供給し、光源３を点灯させる。
【００１９】
点灯装置１０は、たとえば、交流電源２から供給される交流電力を所定の直流電力に変換して、かかる直流電力を光源３に供給する。点灯装置１０は、また、電源装置３０にも所定の電力を供給する。なお、点灯装置１０の詳細な構成については後述する。
【００２０】
付加ユニット２０は、照明以外の機能を照明器具１に付加するユニットであり、照明器具１に着脱可能に取り付けられる。なお、ここでいう「着脱可能」とは、容易に取り付けおよび取り外しが可能である様態も含むし、取り付け後に固定手段などにより容易に取り外せない態様も含むものである。そして、たとえば、照明器具１の主たる機能とは別に機能を追加または補充したい場合に、照明器具１へ組み込むことで機能追加などが行える態様にできるものを意図する。
【００２１】
かかる付加ユニット２０は、たとえば、照明器具１と光源３とを具備する照明装置４が取り付けられる天井Ｃ（図５（ａ）参照）から、室内Ｒ（図５（ａ）参照）を撮像する撮像ユニットなどである。
【００２２】
電源装置３０は、点灯装置１０と付加ユニット２０との間に接続され、点灯装置１０から供給される電力を用いて付加ユニット２０に所定の電力を供給する。
【００２３】
報知装置４０は、電源装置３０に接続され、電源装置３０の異常時には電源装置３０が異常であることを報知する。報知装置４０は、たとえばインジケータであり、電源装置３０の異常時には点灯して電源装置３０が異常であることを報知する。
【００２４】
図１Ｂは、実施形態に係る点灯装置１０の構成例を示す図である。図１Ｂに示すように、点灯装置１０は、電力供給部１１と、保護部１２とを具備する。電力供給部１１は、交流電源２から供給される電力を所定の電力に変換して、変換された電力を光源３と電源装置３０とにそれぞれ供給する。電力供給部１１には、たとえば、光源３に所定の電力を供給する機能と、電源装置３０に所定の電力を供給する機能とがそれぞれ別個に設けられる。
【００２５】
保護部１２は、光源３の異常時に、電力供給部１１から光源３への電力の供給を停止させる保護機能を有する。かかる保護機能により、たとえば、異常が発生した光源３からの漏電などによって照明器具１におけるその他の部位が破損することを抑制することができる。
【００２６】
保護部１２は、たとえば、電力供給部１１から光源３への電力の供給状態をモニタリングし、かかる供給状態が通常動作とは異なる状態になった場合に、光源３に異常が発生したと判断して光源３への電力の供給を停止させる。
【００２７】
つづいて、実施形態にかかる照明器具１の各種動作について、図２〜図４を参照しながら説明する。図２は、実施形態に係る照明器具１における動作の一例を示す図である。図２に示すように、光源３に異常が発生した場合（図２の（ａ１）参照）、点灯装置１０の保護部１２は、保護機能を発動させて電力供給部１１から光源３への電力の出力を停止させる（図２の（ａ２）参照）。
【００２８】
一方で、電力供給部１１には、上述のように光源３に所定の電力を供給する機能と、電源装置３０に所定の電力を供給する機能がそれぞれ別個に設けられている。これにより、保護部１２による上述の保護機能が働いた場合でも、電源装置３０に所定の電力を供給する機能を維持することができる。
【００２９】
換言すると、実施形態では、点灯装置１０と電源装置３０とを別個に設けることにより、光源３を点灯させる機能と付加ユニット２０に電力を供給する機能とを分離させている。これにより、保護部１２による上述の保護機能が働いた場合でも、付加ユニット２０に所定の電力を供給する機能を維持することができる。
【００３０】
すなわち、光源３に異常が発生した場合でも、付加ユニット２０への電力の供給を維持することができる（図２の（ａ３）参照）ことから、付加ユニット２０の動作を継続させることができる。したがって、実施形態によれば、光源３に異常が発生した場合でも、付加ユニット２０の動作を継続させることができる。
【００３１】
図３は、実施形態に係る照明器具１における動作の別の一例を示す図である。図３に示すように、電源装置３０に異常が発生した場合（図３の（ｂ１）参照）、電源装置３０は、付加ユニット２０への電力の供給を停止する（図３の（ｂ２）参照）。これにより、付加ユニット２０に定常状態とは異なる電力が供給されるなどして、付加ユニット２０が破損することを抑制することができる。
【００３２】
ここで、図３に示す例では、電源装置３０に異常が発生した場合、電源装置３０に接続される報知装置４０が、電源装置３０に異常が発生したことを報知する。たとえば、報知装置４０がインジケータである場合、かかるインジケータを点灯させることにより、電源装置３０に異常が発生したことを報知する（図３の（ｂ３）参照）。
【００３３】
これにより、電源装置３０に異常が発生し、付加ユニット２０が動作していないことを照明装置４の使用者に認識させることができる。したがって、実施形態によれば、電源装置３０に異常が発生した場合に、付加ユニット２０が動作しないまま放置されることを抑制することができる。
【００３４】
なお、図２に示した例において、光源３に異常が発生した場合にはインジケータ（報知装置４０）を点灯させていなかったが、これは光源３に異常が発生した場合には、かかる光源３への電力の供給が停止され光源３が消灯することから、インジケータを点灯させずとも、照明装置４の使用者は光源３に異常が発生していることを認識することができるからである。
【００３５】
なお、実施形態において、報知装置４０はインジケータに限られることはなく、たとえば、警告音などを発生させる音響装置などを報知装置４０として用いてもよい。しかしながら、報知装置４０にインジケータを用いることによって、警告音により照明装置４の使用者に不快感を与えることなく、電源装置３０に異常が発生していることを報知することができる。
【００３６】
図４は、実施形態に係る照明器具１における動作のさらに別の一例を示す図である。図４に示すように、点灯装置１０に異常が発生した場合（図４の（ｃ１）参照）、点灯装置１０は、光源３に対する電力の供給を停止する（図４の（ｃ２）参照）。
【００３７】
これにより、光源３に定常状態とは異なる電力が供給されるなどして、光源３が破損することを抑制することができる。かかる光源３に対する電力の供給停止は、たとえば、点灯装置１０の保護部１２により行うことができる。
【００３８】
また、点灯装置１０に異常が発生した場合、電源装置３０は、付加ユニット２０への電力の供給を停止する（図４の（ｃ３）参照）。これにより、付加ユニット２０に定常状態とは異なる電力が供給されるなどして、付加ユニット２０が破損することを抑制することができる。
【００３９】
さらに、図４に示す例では、点灯装置１０に異常が発生した場合、点灯装置１０に異常が発生したことを報知装置４０が報知する。たとえば、報知装置４０がインジケータである場合、かかるインジケータが電源装置３０に異常が発生した場合（図３参照）とは異なるパターンで点灯させることにより、点灯装置１０に異常が発生したことを報知する（図４の（ｃ４）参照）。
【００４０】
すなわち、図４に示す例ではインジケータ（報知装置４０）を図３に示した例とは異なるパターンで点灯させることにより、電源装置３０ではなく点灯装置１０に異常が発生したことを照明装置４の使用者に認識させることができる。
【００４１】
なお、実施形態において、点灯装置１０と電源装置３０とは一体に構成されていてもよく、別体に構成されていてもよい。ここで「一体に構成される」とは、たとえば、点灯装置１０の機能と電源装置３０の機能とが同一の基板上に設けられている状態のことである。
【００４２】
このように、点灯装置１０と電源装置３０とを一体に構成することにより、照明器具１における部品の数を少なくすることができる。したがって、照明器具１を低コストで製造することができる。
【００４３】
一方で、点灯装置１０と電源装置３０とを別体に構成することにより、光源３を点灯させる機能と、付加ユニット２０に電力を供給する機能とを明確に分離することができる。したがって、保護部１２による上述の保護機能が働いた場合でも、電源装置３０に所定の電力を供給する機能をさらに確実に維持することができる。
【００４４】
［付加ユニットの動作例］
つづいて、実施形態における付加ユニット２０の動作例について示す。図５は、実施形態に係る付加ユニット２０の動作の一例を示す図である。
【００４５】
図５（ａ）では、実施形態にかかる照明器具１が、光源３および撮像ユニットである付加ユニット２０とともに照明装置４に具備され、かかる照明装置４が室内Ｒの天井Ｃに取り付けられた状態を示している。また、照明器具１には人感センサ５が具備されており、室内Ｒは光源３から発せられる光Ｌで照らされている。
【００４６】
ここで、図５（ａ）では、室内Ｒの照明装置４付近には誰もいないため、人感センサ５は未感知の状態である（図５（ａ）の（ｄ１）参照）。ここで、実施形態では、人感センサ５が未感知状態の場合、室内Ｒを撮像する必要性が低いことから、撮像ユニットである付加ユニット２０が停止状態になるよう照明器具１において制御が行われる（図５（ａ）の（ｄ２）参照）。
【００４７】
そして、図５（ｂ）に示すように、室内Ｒの照明装置４に人Ｘが近づいた場合、人感センサ５がかかる人Ｘを感知する（図５（ｂ）の（ｅ１）参照）。ここで、実施形態では、室内Ｒを撮像する必要性が高くなったことから、撮像ユニットである付加ユニット２０を停止状態から起動し、照明装置４付近の撮像を開始するよう照明器具１において制御が行われる（図５（ｂ）の（ｅ２）参照）。
【００４８】
さらに、図５（ｃ）に示すように、室内Ｒの照明装置４から人Ｘが離れた場合、人感センサ５は未感知状態に戻る（図５（ｃ）の（ｆ１）参照）。ここで、実施形態では、室内Ｒを撮像する必要性がふたたび低くなったことから、撮像ユニットである付加ユニット２０を撮像状態から停止状態に戻すよう照明器具１において制御が行われる（図５（ｃ）の（ｆ２）参照）。
【００４９】
ここまで説明したように、消費電力が比較的大きい付加ユニット２０と消費電力の小さい人感センサ５とを連動させて、付加ユニット２０を動作させる必要性に応じて付加ユニット２０を動作させることにより、照明器具１における消費電力の増加を抑制することができる。
【００５０】
なお、実施形態において、付加ユニット２０として室内Ｒを撮像する撮像ユニットを例に説明したが、付加ユニット２０は撮像ユニットに限られることはない。たとえば、付加ユニット２０として携帯電話やスマートフォンなどに電力を供給する電力供給ユニットを付加してもよい。さらに、撮像ユニットや電力供給ユニットなどから追加したい機能を具備する付加ユニット２０を選択して、照明器具１に取り付けてもよい。
【００５１】
また、付加ユニット２０として電力供給ユニットを用いる場合、上述のように、人Ｘが照明装置４に近づくことにより、かかる電力供給ユニットが動作するように制御を行ってもよい。なお、実施形態において、付加ユニット２０と連動させるセンサは人感センサ５に限られず、付加ユニット２０を動作させる必要性を評価可能なセンサであれば、どのようなセンサであってもよい。
【００５２】
［実施形態の効果］
上述してきたように、実施形態に係る照明器具１は、点灯装置１０と電源装置３０とを別個に設けることにより、光源３を点灯させる機能と付加ユニット２０に電力を供給する機能とが分離されている。このため、光源３に異常が発生した場合に、保護部１２による上述の保護機能が働いた場合でも、電源装置３０を介して付加ユニット２０への電力の供給を継続することができることから、付加ユニット２０の動作を継続させることができる。
【００５３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１  照明器具
２  交流電源
３  光源
４  照明装置
５  人感センサ
１０  点灯装置
１１  電力供給部
１２  保護部
２０  付加ユニット
３０  電源装置
４０  報知装置（インジケータ）
【図１Ａ】
2018163789.tif 000003
【図１Ｂ】
2018163789.tif 000004
【図２】
2018163789.tif 000005
【図３】
2018163789.tif 000006
【図４】
2018163789.tif 000007
【図５】
2018163789.tif 000008